(57)【要約】【課題】端末に記憶された画像や、端末の映像表現能力に左右されることなく、バリエーションに富んだ待機画面を簡単に設定し、表示することが可能な携帯情報端末、画像生成方法を提供する。【解決手段】携帯電話１００は、入力部３や蓋開閉監視部１７６などによる指示に応じてグラフィックデータとその表示を設定する複数の設定情報とを格納する待受画面生成実行ファイル１７を再生し、その複数の設定情報のうちの任意の設定情報とグラフィックデータとにより生成される画面をメイン表示部２又はサブ表示部５に表示する。【選択図】図２
2007019611.tif 000002
【特許請求の範囲】
【請求項１】
表示手段と、
前記表示手段に表示すべき画像の表現方法を設定する複数の設定情報とグラフィックデータとを記憶する記憶手段と、
当該端末への操作を検出する操作検出手段と、
この操作検出手段によって操作が検出されると、前記記憶手段に記憶される複数の設定情報から任意に設定情報を選択する選択手段と、
この選択手段によって選択された設定情報にしたがって前記記憶手段に記憶されるグラフィックデータを読み出すとともに、前記選択された設定情報によって設定される表現方法に基づいた画面を生成する生成手段と、
この生成手段によって生成された画面を前記表示手段に表示させる第１の表示制御手段と、
を備えたことを特徴とする携帯情報端末。
【請求項２】
前記表現方法とは、前記表示手段に画面として表示されるグラフィックデータの表示位置を定義するものであることを特徴とする請求項１に記載の携帯情報端末。
【請求項３】
前記記憶手段は、前記グラフィックデータを複数記憶し、
前記生成手段は、前記選択手段によって任意に選択された設定情報にしたがって、前記記憶手段から複数のグラフィックデータを選択して画面を生成することを特徴とする請求項２に記載の携帯情報端末。
【請求項４】
当該端末は第１の筐体と、第２の筐体と、前記第１の筐体と前記第２の筐体との位置関係を変化させるための部材とで構成され、
前記操作検出手段は、前記部材により前記第１の筐体と前記第２の筐体との位置関係の変化を検出することを特徴とする請求項１乃至３の何れかに記載の携帯情報端末。
【請求項５】
当該端末外部からデータを受信する受信手段と、
この受信手段によりデータが受信されたことを検出する検出手段と、
前記受信検出手段によりデータの受信が検出されると、前記第１の表示制御手段による画面の表示に差替えて、受信手段により受信されたデータに基づいた画面を表示する第２の表示制御手段と、
を更に備えたことを特徴とする請求項１乃至４の何れかに記載の携帯情報端末。
【請求項６】
前記端末の状態を検知する状態検知手段を更に備え、
前記第１の表示制御手段は、前記生成手段によって生成された画面に、前記状態検知手段によって検知された端末の状態を付加して表示すること特徴とする請求項１乃至５の何れかに記載の携帯情報端末。
【請求項７】
画像の表現方法を設定する複数の設定情報と当該画像に対応するグラフィックデータとを記憶するメモリを有し、
操作を検出する操作検出ステップと
この操作検出ステップにて操作が検出されると、前記メモリより任意に設定情報を選択する選択ステップと、
この選択ステップにて選択された設定情報にしたがって前記メモリに記憶されるグラフィックデータを読み出すとともに、前記選択された設定情報によって設定される表現方法に基づいた画面を生成する生成ステップと、
この生成ステップにて生成された画面を表示させる表示ステップと、
からなることを特徴とする画面生成方法。
【請求項８】
コンピュータに、
操作を検出する操作検出手段と、
この操作検出手段によって操作が検出されると、画像の表現方法を設定する複数の設定情報とグラフィックデータとを記憶するメモリより任意に設定情報を選択する選択手段と、
この選択手段によって選択された設定情報にしたがって前記メモリに記憶されるグラフィックデータを読み出すとともに、前記選択された設定情報によって設定される表現方法に基づいた画面を生成する生成手段と、
この生成手段によって生成された画面を表示させる表示手段と、
を実行させることを特徴とする画面生成プログラム。
【発明の詳細な説明】
【技術分野】
【０００１】
本発明は、携帯電話等の携帯情報端末、及び、携帯情報端末等の画面生成方法に関する。
【背景技術】
【０００２】
近年、携帯電話等の携帯情報端末は、高解像の映像表現能力を有する表示部とグラフィックドライバとを有し、端末内部に内蔵、もしくはネットワーク等を介してダウンロードしたグラフィックファイルや画像ファイルに基づく画像を表示することができるようになっている。
【０００３】
また近年の携帯情報端末では、上述した画像を壁紙や待受画像といった待機画面として設定する機能を有するものがあり、例えば特許文献１の図３及び［００２２］段落の説明に記載されるような、ユーザーによる切替キーの操作検出によりグラフィックファイルや画像ファイルを選択して表示する機能を有するものもある。
【特許文献１】特開２００２−３００２４１号公報
【発明の開示】
【発明が解決しようとする課題】
【０００４】
しかしながら、このような待機画面として設定される画像は、複数設定することができるとは言え、結局表示されるのは一つのグラフィックファイルや画像ファイルに基づくものであり、バリエーションに富んだ待機画面を表示する場合には、より多数のグラフィックファイルや画像ファイルを用意するか、あるいは、端末側が表現力の高いグラフィックドライバを予め備えるしかなく、何れのケースにしても、よりバリエーションに富んだ待機画面を設定することは簡単なことではなかった。
【０００５】
本発明は、このような問題点に鑑みてなされたものであり、端末に記憶された画像や、端末の映像表現能力に左右されることなく、バリエーションに富んだ待機画面を簡単に設定し、表示することが可能な携帯情報端末、画像生成方法を提供することにある。
【課題を解決するための手段】
【０００６】
上記課題を解決するために、請求項１に記載の発明は、前記表示手段に表示すべき画像の表現方法を設定する複数の設定情報とグラフィックデータとを記憶する記憶手段と、当該端末への操作を検出する操作検出手段と、この操作検出手段によって操作が検出されると、前記記憶手段に記憶される複数の設定情報から任意に設定情報を選択する選択手段と、この選択手段によって選択された設定情報にしたがって前記記憶手段に記憶されるグラフィックデータを読み出すとともに、前記選択された設定情報によって設定される表現方法に基づいた画面を生成する生成手段と、この生成手段によって生成された画面を前記表示手段に表示させる第１の表示制御手段と、を備えたことを特徴とする。
【０００７】
請求項２に記載の発明は、請求項１に記載の発明において、前記表現方法とは、前記表示手段に画面として表示されるグラフィックデータの表示位置を定義するものであることを特徴とする。
【０００８】
請求項３に記載の発明は、請求項２に記載の発明において、前記記憶手段は、前記グラフィックデータを複数記憶し、前記生成手段は、前記選択手段によって任意に選択された設定情報にしたがって、前記記憶手段から複数のグラフィックデータを選択して画面を生成することを特徴とする。
【０００９】
請求項４に記載の発明は、請求項１乃至３の何れかに記載の発明において、当該端末は第１の筐体と、第２の筐体と、前記第１の筐体と前記第２の筐体との位置関係を変化させるための部材とで構成され、前記操作検出手段は、前記部材により前記第１の筐体と前記第２の筐体との位置関係の変化を検出することを特徴とする。
【００１０】
請求項５に記載の発明は、請求項１乃至４の何れかに記載の発明において、当該端末外部からデータを受信する受信手段と、この受信手段によりデータが受信されたことを検出する検出手段と、前記受信検出手段によりデータの受信が検出されると、前記第１の表示制御手段による画面の表示に差替えて、受信手段により受信されたデータに基づいた画面を表示する第２の表示制御手段と、を更に備えたことを特徴とする。
【００１１】
請求項６に記載の発明は、請求項１乃至５の何れかに記載の発明において、前記端末の状態を検知する状態検知手段を更に備え、前記第１の表示制御手段は、前記生成手段によって生成された画面に、前記状態検知手段によって検知された端末の状態を付加して表示すること特徴とする。
【００１２】
請求項７、８に記載の発明は、請求項１に記載の発明に示した主要は機能を実現させるための画像生成方法及び画像生成プログラムを提供する。
【発明の効果】
【００１３】
請求項１に記載の発明によれば、操作検出手段によって操作が検出されると表示手段に表示すべき画像の表現方法を設定する複数の設定情報から任意の設定情報を選択し、当該設定情報に従ってグラフィックデータに基づく画面を生成するため、操作毎に異なるバリエーションに富んだ画面を簡単に表示することができる。
【００１４】
請求項２に記載の発明によれば、表示手段に画面として表示されるグラフィックデータが操作毎に異なる位置に表示されるため、よりバリエーションに富んだ画面を簡単に表示することができる。
【００１５】
請求項３に記載の発明によれば、操作の検出より任意に選択された設定情報にしたがって、複数のグラフィックデータから画面を生成して表示することができるため、より複数の画像による多彩な画面を簡単に表示することができる。
【００１６】
請求項４に記載の発明によれば、第１の筐体と第２の筐体との位置を変化させるだけで異なるバリエーションに富んだ画面を簡単に表示させることができる。
【００１７】
請求項５に記載の発明によれば、受信手段により外部からのデータを受信した場合にそれに基づいた画面を表示するため、受信機能を妨げることなく、バリエーションに富んだ画面を表示することができる。
【００１８】
請求項６に記載の発明によれば、端末の状態を検知し、それを付加して表示する構成であるため、バリエーションに富んだ画面を表示する場合でも機器の状態が表示されるため、機器の状態を常に把握することができる。
【発明を実施するための最良の形態】
【００１９】
以下、本発明である携帯情報端末を携帯電話１００に適用した場合の実施形態について図面を参照して詳細に説明する。
【００２０】
先ず、図１（ａ）は、携帯電話１００の正面図であり、図１（ｂ）は、携帯電話１００の背面図である。携帯電話１００は、同図に示すように、蓋部１０１と本体部１０２とがヒンジ１０３により折り畳み可能に構成されている。蓋部１０１には、受話スピーカ１、メイン表示部２、サブ表示部５、カメラ６及びフラッシュＬＥＤ１０が設けられ、本体部１０２には、送話マイク４、入力部３、電源接触端子１２を有する着脱可能な充電池７、一対のステレオスピーカ８、９及び外部インターフェイス１３が設けられている。
【００２１】
入力部３は、決定キー３１、カーソルキー３２、カメラキー３３、ファンクションキー３４及びサイドキー３５の他に数字キーやクリアキー、メニューキー、オフフックキー、オンフックキー等の操作キー群により構成される。
【００２２】
カーソルキー３２は、画面のスクロールや選択操作を行なうためのキーであり、上下左右の４方向を検知可能に構成される。利用者は、例えば、メニューキーの押下により表示させたメニューリストから機能の選択や設定内容の変更をカーソルキー３２を押下することによって行ない、更に決定キー３１の押下により決定・確定して、携帯電話１００の各種設定を行なう。カメラキー３３は、カメラ６による撮影を開始するためのキーである。利用者は、このカメラキー３３を押下し、フラッシュＬＥＤ１０を点灯させ、決定キー３１を押下することで撮影を行なう。ファンクションキー３４、サイドキー３５は、各種機能を実施する為のキーであり、当該携帯電話１００が記憶するアプリケーションプログラムによって、各種機能が割り当てられる。
【００２３】
図２は、携帯電話１００の機能構成の一例を示すブロック図である。同図によれば、携帯電話１００は、アドレス・データバス処理部１６５、入力部３、制御部１６６、ＲＡＭ１６７、プログラムＲＯＭ１６８、表示モジュール系ドライバ１６９、ピエゾモータ１７０、ＤＳＰ１７２、音源ＩＣ１７３、外部インターフェイスコントローラ１７５、電源監視手段７１、蓋開閉監視部１７６、ＲＡＭ１６４、システムＲＯＭ１６３、通信制御部１６、無線部１５及び電波監視部１７７を備え、バスにより電気的に接続されて構成される。なお、同図における点線部分は前述した蓋部１０１に設けられた構成部を示す。
【００２４】
無線部１５は、アンテナ１４の同調処理や受信信号のＡ／Ｄ変換、送信データのＤ／Ａ変換、変復調といった無線処理を行なう。電波監視部１７７は、無線部１５における受信電波環境を測定してその結果を制御部１６６に出力する。通信データ処理部１６１は、無線部１５からの受信を検出する回路、ＣＥＬＰ（Code-Excited  Linear  Prediction）系デコーダ及び音声復号処理回路、及びパケットデータ生成回路等を有して構成され、無線部１５を介して受信したデータをデコードして受話データを取得したり、オーディオインターフェイス１６２から出力された送話データをエンコードしたりする。オーディオインターフェイス１６２は、通信データ処理部１６１で取得された受話データに基づいた音声を受話スピーカ１から音声出力させたり、送話マイク４から入力された利用者の音声を送話データにＤ／Ａ変換したりする。
【００２５】
携帯電話１００は、制御部１６６から入力される指示に基づいて動作する上述した無線部１５と通信データ処理部１６１及びオーディオインターフェイス１６２である通信制御部１６とにより、アンテナ１４を介して無線通信網（無線電話網を含む）上の無線基地局との間で音声通話や各種データの通信を行なう通話機能を提供する。
【００２６】
なお、無線部１５と無線基地局間で送受信される無線信号の変復調方式としては、ＰＳＫ（Phase  Shift  Keying）方式、ＰＤＣ（Personal  Digital  Cellular）方式、ＣＤＭＡ（Code  Division  Multiple  Access）方式、ＧＳＭ（Global  System  for  Mobile  communication）方式等の各種公知技術の何れを利用することとしてもよい。
【００２７】
アドレス・データバス処理部１６５は、通信制御部１６と制御部１６６間のアドレス制御やバス上のデータ通信の制御等を行なう。入力部３は、前述した各種キーにより構成され、押下されたキーに対応する操作信号を制御部１６６に出力することで、利用者からのプログラムの実行開始の指示入力や、各種情報の入力を受け付ける。
【００２８】
制御部１６６は、ＣＰＵ（Central  Processing  Unit）等のプロセッサにより構成され、ＯＳＩ参照モデルでいうところのアプリケーション層（レイヤ７）に相当する処理を行なう。具体的には、入力部３から入力される操作信号に応じてプログラムＲＯＭ１６８に格納されたアプリケーションプログラムを読出し、当該プログラムに従った処理を実行する。そして、その処理結果を表示モジュール系ドライバ１６９に出力してメイン表示部２やサブ表示部５に表示させる。また、制御部１６６は、常時一定周波数の水晶発信によるクロック信号を計数して現在時刻を計時する機能を有する。
【００２９】
ＲＡＭ１６７（Random  Access  Memory）は、制御部１６６が実行する各種プログラムやこれらのプログラムの実行に係るデータ等を一時的に保管するメモリ領域を提供する。
【００３０】
プログラムＲＯＭ１６８は、例えばＮＯＲ型又はＮＡＮＤ型のＦｌａｓｈメモリなどの不揮発性メモリで構成され、携帯電話１００の動作に必要なアプリケーションプログラムや、そのプログラムの実行に係るデータを格納し、本実施の形態においては、図３に示す音声やアニメーションが組み合わされたコンテンツファイルである待受画面生成実行ファイル１７とその再生プログラムを格納している。
【００３１】
表示モジュール系ドライバ１６９は、制御部１６６の指示に従って、フラッシュＬＥＤ１０を点灯させたり、制御部１６６から入力される表示データに基づいてメイン表示部２及びサブ表示部５に各種画面を表示させたりする。
【００３２】
メイン表示部２及びサブ表示部５は、携帯電話１００の各種情報や操作待ちにおける待機画面を表示するための表示装置であり、ＬＣＤ（Liquid  Crystal  Display）やＥＬＤ（Electro  Luminescence  Display）等で構成される。制御部１６６は、蓋開閉監視部１７６から出力される検知信号に基づいて携帯電話１００が折り畳まれたことを検知すると、メイン表示部２の表示を消灯し、サブ表示部５に表示を切り替える。
【００３３】
ピエゾモータ１７０、カメラ６、ＣＭＯＳ（Complementary  Metal  Oxide  Semiconductor）センサやＣＣＤ（Charge  Coupled  Device）センサ等の撮像モジュール１７１及びＤＳＰ１７２（Digital  Signal  Processor）は、デジタルカメラとしての機能を提供する機能部である。撮像モジュール１７１は、カメラ６を透過して撮像面に結像する光学像を光電変換して電気信号を生成し、当該電気信号をＤ／Ａ変換してＤＳＰ１７２に出力する。ピエゾモータ１７０は、カメラ６の位置を調整してズームや上記光学像のフォーカス調整を行なうためのモータである。
【００３４】
ＤＳＰ１７２は、撮像モジュール１７１から出力されたデジタル信号の符号化や圧縮処理、画像処理等の様々なデジタル信号処理を行ない、画像データとして制御部１６６に出力する。制御部１６６は、ＤＳＰ１７２によりデジタル信号処理が施された画像データ（撮像画像）をＲＡＭ１６４に記憶させる。
【００３５】
音源ＩＣ１７３及びＡＭＰ１７４は、制御部１６６から入力される音声データに基づいた音声をステレオスピーカ８、９から音声出力させる機能部である。音源ＩＣ１７３は、電話の着信時に音声出力する着信音の音声データやキー群を押下された際に音声出力する操作音の音声データ等を予め記憶し、制御部１６６からの音声データや当該記憶されたデータをＤ／Ａ変換し、ＡＭＰ１７４によって増幅させた後、ステレオスピーカ８、９から音声出力させる。
【００３６】
外部インターフェイスコントローラ１７５は、電源接触端子１２から外部電力が供給される場合に充電池７への充電又は各部への電力供給や、１８芯コネクタなどである外部インターフェイス１３と接続する外部機器との通信制御を行なう。
【００３７】
電源監視手段７１は、充電池７が供給する電源電圧の状態や電源接触端子１２の外部電源への接続を常に監視しており、監視結果としての信号を所定の周期で制御部１６６に出力する。充電池７は、電源接触端子１２を介して蓄電した電源を制御部１６６の指示に基づいて各機能部へ電源供給を行なう。
【００３８】
蓋開閉監視部１７６は、ヒンジ１０３の内部にあるスイッチであり、当該ヒンジ１０３における蓋部１０１と本体部１０２との状態（開状態／閉状態）を検出して所定の信号を制御部１６６に出力する。
【００３９】
ＲＡＭ１６４は、読み書き可能な不揮発性メモリであり、前述の撮像画像の他に、例えば、アドレス帳データやメールデータ等の携帯電話１００の通信に関するデータ及び動画像を含むマルチメディアデータ等を格納する。
【００４０】
システムＲＯＭ１６３は、基本ＯＳ（オペレーティングシステム）、各種初期設定及びハードウエアの検査に必要なプログラムのロード等を行なうための初期化（ＩＰＬ：Initial Program Loader）プログラム、当該プログラムに係る各種初期設定値、携帯電話１００の認証に必要なデータ（例えば、シリアル番号や加入者ＩＤ）等を格納する。
【００４１】
次に待受画面生成実行ファイル１７について、図３〜図６を参照して説明する。図３は、待受画面生成実行ファイル１７の概略を示す図であり、図４（ａ）は、待受画面生成実行ファイル１７における表示パターンを例示する図であり、図４（ｂ）は、待受画面生成実行ファイル１７における表示サイズを例示する図であり、図５（ａ）は、待受画面生成実行ファイル１７における表示パターンテーブルを例示する図であり、図５（ｂ）は、待受画面生成実行ファイル１７におけるカラーパレットテーブルを例示する図であり、図６は、待受画面生成実行ファイル１７におけるグラフィックデータベースを例示する図である。
【００４２】
待受画面生成実行ファイル１７は、画像（映像）、サウンドといったデータ類、インタラクティブ（双方向）操作も含めた表示動作を記述したプログラム、表示動作以外のサブセットプログラムなどを含む１つのファイルであり、図３に示すように、当該ファイルのファイル名や作成者等のデータが収められたプロファイルデータ格納エリア１７０１、表示動作の全体のフローが格納されたメインルーチンプログラムエリア１７０２、各種サブルーチンが格納されたサブルーチンプログラムエリア１７０３、表示画面生成に関する情報が設定されたデータベースエリア１７０４、及びグラフィックデータ１７１７、１７２７、１７３７…１８０７やその動作データ１７１８、１７１９、１７２８、１７２９、１７３８…１８０８などの実データが格納されたグラフィックエリア１７０５から構成される。
【００４３】
サブルーチンプログラムエリア１７０３は、後述する表示動作処理における画面作成に関する動作を行なうオープニング決定ルーチン１７０７、表示パターン決定ルーチン１７０８、表示画面作成ルーチン１７０９及びグラフィックカラー決定ルーチン１７１０からなる画像作成ルーチンプログラムエリア１７０６、電源監視手段７１からの情報を得てそれに応じた表示動作する低電圧警告ルーチンプログラムエリア１７１１、１０分を計時した際に表示動作（１０分イベント表示）する１０分イベントプログラムエリア１７１２及び表示画素単位でランダムに黒く塗りつぶす表示動作をするドット欠損イベントプログラムエリア１７１３から構成される。
【００４４】
データベースエリア１７０４は、各種表示レイアウトパターンとサイズなどのデータからなる表示パターンテーブルを格納する表示パターンテーブルエリア１７１４、カラーパレットテーブルを格納するカラーパレットテーブルエリア１７１５、グラフィックエリア１７０５に格納されたグラフィック毎の実データの格納アドレスと当該グラフィックに関する情報とを関連付けて記憶するグラフィックデータベースを格納するグラフィックデータベースエリア１７１６から構成される。
【００４５】
表示パターンについては、具体的には図４（ａ）に示すように、縦方向に３等分割を基本分割としてメイン表示部２の表示画面を６等分割するパターン（パターン：００１）、変則的に６分割するパターン（パターン：００２）、５分割するパターン（パターン：００３）、６分割と３分割とを組み合わせて５分割するパターン（パターン：００４）、３等分割するパターン（パターン：００５）などがある。この場合の表示パターンにおける分割要素（Ｎ：１〜Ｎ：６）を構成するブロックの表示サイズは、図４（ｂ）に示すように、縦方向に３等分割した部分を更に等分割したブロックＡ（６等分割）と、３等分割した部分を偏って分割した一対のブロックＢ及びブロックＣと、３等分割したブロックＤとのサイズである。
【００４６】
表示パターンテーブルエリア１７１４が格納する表示パターンテーブルは、具体的には図５（ａ）に示すように、上述した表示パターンに関する情報をパターン毎に画面の分割数とその分割による要素毎（Ｎ：１〜Ｎ：６）のブロックサイズを格納する構成である。また、カラーパレットテーブルエリア１７１５が格納するカラーパレットテーブルは、具体的には図５（ｂ）に示すように、１６進数の乱数値に対応する色を格納する構成である。
【００４７】
グラフィックデータベースエリア１７１６が格納するグラフィックデータベースは、具体的には図６に示すように、グラフィックイメージに示した画像であるグラフィックデータ１７１７、１７２７…１８０７への格納アドレスが記載されたデータごとに、イメージ名称とブロックＡ〜ブロックＤである表示サイズで表示が可能な場合の動作を指示する動作データ１７１８、１７１９…１８０８へのアドレスとが格納される構成である。制御部１６６は、このグラフィックデータベースに基づいてアドレスを指定することで、グラフィックエリア１７０５の格納されたグラフィックデータとその動作に関するデータとを読出し、それに応じた画像の表示を行なうことができる。
【００４８】
次に、制御部１６６が蓋開閉監視部１７６による蓋部１０１と本体部１０２との開状態の検出に応じて実行する再生プログラムにより、待受画面生成実行ファイル１７を再生してメイン表示部２に表示する（メインルーチンプログラムエリア１７０２を実行する）処理について図７〜図９を参照して説明する。図７、８は、制御部１６６が待受画面生成実行ファイル１７を再生して行なう表示動作処理を説明するフローチャートであり、図９は、メイン表示部２の表示画面を例示する図である。
【００４９】
先ず、制御部１６６は、図７に示すように、１６進数の乱数を順次発生し、蓋の開検出に応じた停止処理時や時刻に応じた停止処理時の乱数の値を決定したデータとして取得し（ステップＳ１）、その決定したデータに従ってグラフィックデータベースエリア１７１６に格納されたグラフィックを選択し（ステップＳ２）、その選択したグラフィックをオープニング画面として設定する（ステップＳ３）。なお、上述したステップＳ１〜Ｓ３は、オープニング決定ルーチン１７０７が読み込まれて行なわれる処理である。
【００５０】
ステップＳ１における決定したデータの取得は、より乱数としての精度の高い方法や、より偶然性の高い値を取得する方法であればいずれの方法を用いても良い。また、以後の乱数を用いて決定したデータを得る処理（ステップＳ４、７、９）も同様である。
【００５１】
次いで、表示パターン決定ルーチン１７０８が読み込まれて実行される処理により、ステップＳ１と同様の処理により任意に決定されたデータが取得され（ステップＳ４）、表示パターンテーブルエリア１７１４に格納されたパターンから当該決定したデータに従った画面レイアウトパターンが決定され、そのレイアウトにおける要素数や各要素における表示サイズなどが取得される（ステップＳ５）。
【００５２】
次いで、表示画面作成ルーチン１７０９が読み込まれて実行される処理により、グラフィックデータベースエリア１７１６に格納されたグラフィックの中でステップＳ５で決定された画面レイアウトパターンにおけるＮ番目（初期値は１とする）の要素の表示サイズに対応して表示が可能であり、既に設定されているグラフィック以外のグラフィックが複数選択され（ステップＳ６）、ステップＳ１と同様の処理により任意に決定されたデータが取得され（ステップＳ７）、上記複数選択されたグラフィックの中でその決定されたデータに従ったグラフィックが選択される（ステップＳ８）。
【００５３】
次いで、グラフィックカラー決定ルーチン１７１０が読み込まれて実行される処理により、ステップＳ１と同様の処理により任意に決定されたデータが取得され（ステップＳ９）、当該決定されたデータを元にカラーパレットテーブルエリア１７１５からステップＳ８で選択されたグラフィックの描画に関する色が選択される（ステップＳ１０）。
【００５４】
次いで、画面レイアウトパターンにおける全ての要素（全てのＮ）について、グラフィックの選択とその描画に関する色の選択とによる設定が完了した否かが判定され（ステップＳ１１）、設定が完了していない場合はＮの値がインクリメントされて（ステップＳ１２）ステップＳ６に戻り、設定が完了している場合はステップＳ３で設定されたオープニング画面で開始されてステップＳ５のレイアウトパターンでステップＳ８、Ｓ１０で設定されたグラフィックで表示される画面が生成され（ステップＳ１３）、その生成された画面がメイン表示部２に表示される（ステップＳ１４）。
【００５５】
ステップＳ１４におけるメイン表示部２の表示画面は、図９に示すように、画面上部に電波状況アイコン２０１、電源状態アイコン２０２及び現在時刻２０３が電波監視部１７７、電源監視手段７１及び制御部１６６により計時される現在時刻を元に表示され、その下の領域にステップＳ１３で生成された表示領域２０５〜２０９のからなる待受画像表示領域２０４が表示される構成である。
【００５６】
図９に例示した表示画面は、表示パターン決定ルーチン１７０８（ステップＳ４〜Ｓ５）によりパターン：００３が選択された場合の画面（図４（ａ）を参照）である。Ｎ：１に相当する表示領域２０５は、表示サイズがブロックＤであるため、グラフィックデータベースエリア１７１６よりグラフィックデータ１７１７、１７２７、１７８７、１７９７が候補として挙げられ（図６を参照）、乱数決定に基づいて設定されたグラフィックデータ１７１７が表示される。この表示領域２０５におけるグラフィックは、カラーとして例えば黄色が選択され、動作データ１７１９へのアドレスによる動作でグラフのバーが動いて表示される。
【００５７】
同様に、Ｎ：２に相当する表示領域２０６は、表示サイズがブロックＢであるため、グラフィックデータ１７１７、１７２７、１７４７、１７７７、１７８７、１７９７、１８０７が候補として挙げられるが、グラフィックデータ１７１７が既に設定されているため、他の候補の中で決定されたグラフィックデータ１７８７がカラーとして緑が選択され、横スクロールして表示される。
【００５８】
同様に、Ｎ：３に相当する表示領域２０７は、表示サイズがブロックＣであるため、グラフィックデータ１７１７、１７２７、１７４７、１７７７、１７８７、１７９７、１８０７が候補として挙げられるが、グラフィックデータ１７１７、１７８７が既に設定されているため、他の候補の中で決定されたグラフィックデータ１７７７を元に、カラーとして赤が選択されたテキストがスクロール表示される。
【００５９】
同様に、Ｎ：４、Ｎ：５に相当する表示領域２０８、２０９は、表示サイズがブロックＡであるため、グラフィックデータ１７２７、１７５７、１７６７、１７７７が候補として挙げられるが、グラフィックデータ１７７７が既に設定されているため、他の候補の中で決定されたグラフィックデータ１７２７、１７５７が表示される。表示領域２０８にはグラフィックデータ１７２７が選択された色である青で横スクロール動作して表示され、表示領域２０９にはグラフィックデータ１７５７が選択された色である赤で点が点滅して表示される。
【００６０】
つまり、携帯電話１００は、蓋部１０１と本体部１０２との開状態を検知する度に、図９に示した画面を一例とする任意の画面構成で任意の画像が描画された多彩な待受画面をメイン表示部２に表示する。さらに、携帯電話１００は、画面上部に携帯電話１００の電波受信状態や電源状態、又は現在時刻などの状態を表示する構成であるため、多彩な待受画面を表示する場合でも機器の状態を常に知らしめることができる。
【００６１】
次いで、入力部３からの操作指示（外的操作）、着信、タイマーによる報知、電源状態又は受信電波状態の変化などのイベントに基づくトリガが発生するまで待機され（ステップＳ１５）、外的な操作である場合は待受画面表示の終了の有無が判定され（ステップＳ２３）、終了しない場合はステップＳ１に戻り、終了する場合はその外的操作に応じて発生するトリガの示す処理へ移行して終了する。
【００６２】
ステップＳ１５において、外的な操作以外のイベントに基づくトリガが発生した場合は、その発生したトリガに基づくイベントが判定され（ステップＳ１６）、その判定されたイベントに応じた処理が行なわれ（ステップＳ１７〜Ｓ２２）、前述した待受画面表示の終了の有無が判定されて（ステップＳ２３）、その判定に応じて終了又はステップＳ１へ戻る。
【００６３】
なお、ステップＳ１６において、「着信検出」に関するイベントと判定された場合は、発信者の番号やその番号に対応してアドレス帳に格納された氏名がメイン表示部２に表示され（ステップＳ１７）、その表示状態が通話処理が終了するまで待機される（ステップＳ１８、Ｓ１９）。また、「電池残量」に関するイベントと判定された場合は、低電圧警告ルーチンプログラムエリア１７１１が読み込まれて電池残量のアラート表示などの動作が行なわれる（ステップＳ２０）。また、「１０分タイマー」に関するイベントと判定された場合は、１０分イベントプログラムエリア１７１２が読み込まれて、それに応じた動作、例えば、オープニング決定ルーチン１７０７へジャンプする指示などの場合はオープニング画面の表示やグラフィックカラー決定ルーチン１７１０へジャンプする指示などの場合は描画する色を変更するなどの動作が行なわれる（ステップＳ２１）。また、「１分タイマー」に関するイベントと判定された場合は、ドット欠損イベントプログラムエリア１７１３が読み込まれて、ランダムに画素が欠損するスクリーンセイバーのような動作が行なわれる（ステップＳ２２）。
【００６４】
以上のように、携帯電話１００は、蓋部１０１と本体部１０２との開状態を検知することでグラフィックデータとその表示を設定する複数の設定情報とを格納する待受画面生成実行ファイル１７を再生し、その複数の設定情報のうちの任意の設定情報とグラフィックデータとにより生成される画面をメイン表示部２に表示する。このため、携帯電話１００は、蓋を開くだけでバリエーションに富んだ画面を簡単に表示することができる。
【００６５】
また、携帯電話１００は、着信を検出した場合にその発信者の番号を画面に表示する構成であるため、バリエーションに富んだ画面を簡単に表示する場合でも、通信に関する情報を的確に表示することができる。また、電池残量アラームなどの機器の状態に関する情報も待受画面に複合して表示することができる。
【００６６】
なお、本実施の形態における記述は、本発明の一例を示すものであり、これに限定しない。本発明における携帯電話１００の細部構成及び細部動作に関しては、本発明の趣旨を逸脱しない範囲で適宜変更が可能である。例えば、本実施の形態では携帯電話の待機画面を作成する場合について述べたが、ＰＣ（Personal  Computer）やその他、表示部を有する電子機器に適用可能である。
【００６７】
また、本実施の形態では、蓋部１０１と本体部１０２との開状態の検知に応じて待受画面生成実行ファイル１７を再生してメイン表示部２に表示する構成を示したが、閉状態の検知に応じて待受画面生成実行ファイル１７を再生してサブ表示部５に表示する構成であっても良い。また、蓋部１０１と本体部１０２との開／閉状態の検知以外に、入力部３からの指示に応じて待受画面生成実行ファイル１７を再生する構成であっても良い。
【００６８】
また、本実施の形態における各種イベントに対応する動作は、一例を示したに過ぎず、ドット欠損以外にモーフィングなどの他の動作を行なうものであっても良い。更には、入力部３からの操作指示により、利用者の好みに応じて変更する構成であっても良い。また、機器の状態に関する情報を待受画面に複合して表示する構成については、電池残量アラーム以外に電波状態アラームやタイマーによる報知機能などであってもよい。
【００６９】
また、「着信検出」は、通話に関する着信以外に、電子メールの受信などのデータ通信に関するものあっても良い。例えば、電子メールの受信時には、発信番号の代わりに発信元の電子メールアドレスや、その電子メールアドレスに対応してアドレス帳に格納された氏名などを表示する。
【図面の簡単な説明】
【００７０】
【図１】（ａ）は、本発明である携帯電話１００の正面図であり、（ｂ）は、携帯電話１００の背面図である。
【図２】携帯電話１００の機能的構成を模式的に示すブロック図である。
【図３】待受画面生成実行ファイル１７の概略を示す図である。
【図４】（ａ）は、待受画面生成実行ファイル１７における表示パターンを例示する図であり、（ｂ）は、待受画面生成実行ファイル１７における表示サイズを例示する図である。
【図５】（ａ）は、待受画面生成実行ファイル１７における表示パターンテーブルを例示する図であり、（ｂ）は、待受画面生成実行ファイル１７におけるカラーパレットテーブルを例示する図である。
【図６】待受画面生成実行ファイル１７におけるグラフィックデータベースを例示する図である。
【図７】携帯電話１００における待受画面生成実行ファイル１７の再生に基づいた表示動作処理を示すフローチャートである。
【図８】携帯電話１００における待受画面生成実行ファイル１７の再生に基づいた表示動作処理を示すフローチャートである。
【図９】メイン表示部２の表示画面を例示する図である。
【符号の説明】
【００７１】
１００  携帯電話
１  受話スピーカ
２  メイン表示部（表示手段）
３  入力部
４  送話マイク
５  サブ表示部（表示手段）
６  カメラ
７  充電池
８、９  ステレオスピーカ
１０  フラッシュＬＥＤ
１２  電源接触端子
１３  外部インターフェイス
１４  アンテナ
１５  無線部（受信手段）
１６  通信制御部（受信検出手段）
１７  待受画面生成実行ファイル（記憶手段）
３１  決定キー
３２  カーソルキー
３３  カメラキー
３４  ファンクションキー
３５  サイドキー
７１  電源監視手段（状態検出手段）
１０１  蓋部（第１の筐体）
１０２  本体部（第２の筐体）
１０３  ヒンジ
１６１  通信データ処理部
１６２  オーディオインターフェイス
１６３  システムＲＯＭ
１６４  ＲＡＭ
１６５  アドレス・データバス処理部
１６６  制御部（生成手段、第１の表示制御手段、第２の表示制御手段、状態検出手段）
１６７  ＲＡＭ
１６８  プログラムＲＯＭ（記憶手段）
１６９  表示モジュール系ドライバ
１７０  ピエゾモータ
１７１  撮像モジュール
１７２  ＤＳＰ
１７３  音源ＩＣ
１７４  ＡＭＰ
１７５  外部インターフェイスコントローラ
１７６  蓋開閉監視部
１７７  電波監視部（状態検出手段）
２０１  電波状況アイコン
２０２  電源状態アイコン
２０３  現在時刻
２０４  待受画像表示領域
２０５〜２０９  表示領域
１７０１  プロファイルデータ格納エリア
１７０２  メインルーチンプログラムエリア
１７０３  サブルーチンプログラムエリア
１７０４  データベースエリア
１７０５  グラフィックエリア
１７０６  画像作成ルーチンプログラムエリア
１７０７  オープニング決定ルーチン
１７０８  表示パターン決定ルーチン
１７０９  表示画面作成ルーチン
１７１０  グラフィックカラー決定ルーチン
１７１１  低電圧警告ルーチンプログラムエリア
１７１２  １０分イベントプログラムエリア
１７１３  ドット欠損イベントプログラムエリア
１７１４  表示パターンテーブルエリア
１７１５  カラーパレットテーブルエリア
１７１６  グラフィックデータベースエリア
１７１７、１７２７、１７３７、１７４７、１７５７、１７６７、１７８７，１７９７、１８０７  グラフィックデータ
１７１８、１７１９、１７２８、１７２９、１７３８、１８０８  動作データ
Ａ〜Ｄ  ブロック
【図１】
2007019611.tif 000003
【図２】
2007019611.tif 000004
【図３】
2007019611.tif 000005
【図４】
2007019611.tif 000006
【図５】
2007019611.tif 000007
【図６】
2007019611.tif 000008
【図７】
2007019611.tif 000009
【図８】
2007019611.tif 000010
【図９】
2007019611.tif 000011